(57)【要約】      （修正有）【課題】ステッキ掛け部材とストラップを一体的な構造にし、これによりステッキ掛け部材及びストラップをコンパクト化し、かつ見栄えを向上するステッキ用補助具を提供する。【解決手段】ステッキ掛け部材１３とストラップ１４とがステッキ１１に取外し可能に取付けられる。ステッキ掛け部材１３は、下面が扁平に形成されこの下面が被掛止部材１２に載る掛止部１３ａと、掛止部と一体的に設けられステッキの上部に取外し可能に取付けられる弾性変形可能な一対の第１取付部１３ｂ，１３ｃとを有する。ストラップは、紐状のストラップ本体１６と、このストラップ本体を保持しステッキの上部に取外し可能に取付けられる弾性変形可能な単一の第２取付部１７とを有する。一対の第１取付部がステッキの長手方向に所定の間隔をあけて設けられ、単一の第２取付部１７が一対の第１取付部１３ｂ，１３ｃの間に挿入可能に構成される。【選択図】図１
2020115933.tif 000002
【特許請求の範囲】
【請求項１】
ステッキを被掛止部材に掛けるためのステッキ掛け部材と、前記ステッキの手提げ紐であるストラップとが、前記ステッキに取外し可能に取付けられたステッキ用補助具であって、
前記ステッキ掛け部材は、下面が扁平に形成されこの下面が前記被掛止部材に載る掛止部と、前記掛止部と一体的に設けられ前記ステッキの上部に取外し可能に取付けられる弾性変形可能な一対の第１取付部とを有し、
前記ストラップが、紐状のストラップ本体と、このストラップ本体を保持し前記ステッキの上部に取外し可能に取付けられる弾性変形可能な単一の第２取付部とを有し、
前記一対の第１取付部が前記ステッキの長手方向に所定の間隔をあけて設けられ、
前記単一の第２取付部が前記一対の第１取付部の間に挿入可能に構成された
ことを特徴とするステッキ用補助具。
【請求項２】
前記ステッキが円筒状又は円柱状であって、前記第１及び第２取付部が略Ｃ字状に形成され、前記第１及び第２取付部を前記ステッキに取付けない状態で前記第１及び第２取付部の内周面の曲率半径が前記ステッキの外径より小さく形成された請求項１記載のステッキ用補助具。
【請求項３】
前記一対の第１取付部の間隔が前記単一の第２取付部の幅より僅かに広く形成された請求項１又は２記載のステッキ用補助部。
【請求項４】
前記ステッキ掛け部材の掛止部の下面に滑り止めシートが貼付された請求項１記載のステッキ用補助具。
【請求項５】
前記掛止部と前記第１取付部とがプラスチックにより一体的に形成され、前記第２取付部がプラスチックにより形成された請求項１ないし４いずれか１項に記載のステッキ用補助具。
【発明の詳細な説明】
【技術分野】
【０００１】
本発明は、ステッキを机等の被掛止部材に掛けるためのステッキ掛け部材と、ステッキの手提げ紐であるストラップとが、ステッキに取外し可能に取付けられたステッキ用補助具に関するものである。
【背景技術】
【０００２】
従来、杖保持部の合成樹脂製の筒状体における筒壁の一部に筒状体内径より幅の狭いスリット状の開口部が設けられ、かつ筒状体の外周面の他の部分に連結部が設けられ、杖保持部における連結部に対してループ状の手提げ紐が直接又は連結手段を介して取付けられた杖用ストラップが開示されている（例えば、特許文献１（請求項１及び２、段落［０００７］、［０００８］、図１、図２）参照。）。この杖用ストラップでは、合成樹脂製の筒状体における筒壁の一部に開口部が設けられかつ筒状体の外周面の他の部分に連結部が設けられた杖保持部と、ループ状の手提げ紐と取付紐とが連結部材により一体化されたストラップ主体とから構成される。そして、杖保持部の連結部に対して、ストラップ主体の取付紐が取付けられる。
【０００３】
このように構成された杖用ストラップでは、転倒の際に杖の把持部を握ったままである場合、手首等に掛けられた手提げ紐が杖に追従する初期段階において、杖保持部の内径輪郭線部分の一部、若しくは外径輪郭線部分、又は杖の把持部の下端縁部のいずれか一方が支点となって、杖保持部の開口縁部が杖主体に乗り上げるように倒れて杖の直径まで合成樹脂の弾性力で開いた後、杖保持部が杖から離脱する。この結果、手首等が強く引っ張られないので、手首等が圧迫されることはない。また、杖の把持部から手を放した場合には、手提げ紐が、手首等にぶら下がった状態で、手の動き或いは足を前へ進めることによって、杖を足で踏んだり、杖が脚に絡みかけた途端に、上記と同様に杖から杖保持部が離脱するので、転倒するおそれはない。
【０００４】
一方、杖に対し着脱自在な取付輪部と、磁石を備えて取付輪部に枢着された固定板とからなる杖固定具が開示されている（例えば、特許文献２（請求項１及び２、［００１４］、図１〜図５）参照。）。この杖固定具は、弾性変形によりその幅を拡縮可能な開放部を有する取付輪部と、その取付輪部に一端を枢着して回動する固定板と、取付輪部と固定板との枢着部に装着されたスプリングとを備える。取付輪部は、開放部を杖が通ることにより杖に対し着脱自在に構成される。また、固定板は、杖に対し平行に閉じ合せる平行姿勢と、杖に対し垂直に開く垂直姿勢との間を回動可能に構成される。そして、平行姿勢における固定板の外面側に磁石が取付けられるとともに、垂直姿勢における固定板の下面側にゴムなどの滑り止め部材が取付けられる。更に、スプリングは、垂直姿勢に開いた固定板を杖に対し平行に閉じ合せる方向に付勢するように構成される。
【０００５】
このように構成された杖固定具では、固定板を利用して起立した杖を倒れないように固定でき、足の不自由な人や老人が倒れた杖を屈んで拾い上げるという面倒を解消することができる。具体的には、固定板を杖に対して垂直に開くことにより机の天板などに掛止して固定する方法と、固定板を杖に対し平行に閉じ合せて磁石によりスチール製の机の側面などに吸着させて固定する方法とを、必要に応じて使い分けできる。そして、固定板を机の天板などに掛止するときに、天板と接触する面にゴムなどの滑り止め部材を設け、また固定板の枢着部に固定板を天板に押し付けるスプリングを取付けることによって、固定板と天板との接触を強固にして、固定板を外れ難くして杖の落下を防止できる。また、取付輪部に開放部を設けることにより、杖に対して簡単に着脱できるとともに、取付輪部を杖に対して高さ及び向きを自由に変えられるので、いろいろな場所に固定できる。
【先行技術文献】
【特許文献】
【０００６】
【特許文献１】実用新案登録第３０５９９５５号公報
【特許文献２】実用新案登録第３００８４５７号公報
【発明の概要】
【発明が解決しようとする課題】
【０００７】
しかし、上記従来の特許文献１に示された杖用ストラップでは、手首にループ状の手提げ紐を遊嵌した状態で杖から手を離して杖をぶら下げると、杖に取付けられた杖保持部が杖の長手方向に移動して所望の位置からずれてしまい、使い勝手が悪い不具合があった。また、上記従来の特許文献１に示された杖用ストラップの杖保持部と、上記従来の特許文献２に示された杖固定具の取付輪部との両方を１本の杖に取付ける場合、杖保持部及び取付輪が杖に対してガタつくことなく、杖保持部及び取付輪部を杖に取付けるために、比較的幅の広い杖保持部及び取付輪部を杖に取付ける必要があり、杖保持部及び取付輪部の杖への取付スペースを比較的大きく確保しなければならない問題点がある。この場合、杖に取付けられた杖保持部及び取付輪部の見栄えを損なう問題点もある。
【０００８】
本発明の第１の目的は、ステッキ掛け部材とストラップを一体的な構造にすることができ、これによりステッキ掛け部材及びストラップをコンパクト化することができる、ステッキ用補助具を提供することにある。本発明の第２の目的は、ステッキ掛け部材及びストラップのステッキへの取付スペースを比較的小さく確保すれば済み、またステッキ掛け部材及びストラップの見栄えを向上できる、ステッキ用補助具を提供することにある。本発明の第３の目的は、ステッキ掛け部材の一対の第１取付部及びストラップの単一の第２取付部がステッキに対してガタつくのを防止できる、ステッキ用補助具を提供することにある。本発明の第４の目的は、ステッキ掛け部材の一対の第１取付部がステッキから外れ難く、またストラップの単一の第２取付部が意図せずにステッキの長手方向に移動するのを抑制できる、ステッキ用補助具を提供することにある。本発明の第５の目的は、ステッキが被掛止部材から意図せずに外れて落下するのを防止できる、ステッキ用補助具を提供することにある。
【課題を解決するための手段】
【０００９】
本発明の第１の観点は、図１に示すように、ステッキ１１を被掛止部材１２に掛けるためのステッキ掛け部材１３と、ステッキ１１の手提げ紐であるストラップ１４とが、ステッキ１１に取外し可能に取付けられたステッキ用補助具１０であって、ステッキ掛け部材１３は、下面が扁平に形成されこの下面が被掛止部材１２に載る掛止部１３ａと、掛止部１３ａと一体的に設けられステッキ１１の上部に取外し可能に取付けられる弾性変形可能な一対の第１取付部１３ｂ，１３ｃとを有し、ストラップ１４が、紐状のストラップ本体１６と、このストラップ本体１６を保持しステッキ１１の上部に取外し可能に取付けられる弾性変形可能な単一の第２取付部１７とを有し、一対の第１取付部１３ｂ，１３ｃがステッキ１１の長手方向に所定の間隔をあけて設けられ、単一の第２取付部１７が一対の第１取付部１３ｂ，１３ｃの間に挿入可能に構成されたことを特徴とする。
【００１０】
本発明の第２の観点は、第１の観点に基づく発明であって、更に図２〜図６に示すように、ステッキ１１が円筒状又は円柱状であって、第１取付部１３ｂ，１３ｃ及び第２取付部１７が略Ｃ字状に形成され、第１取付部１３ｂ，１３ｃ及び第２取付部１７をステッキ１１に取付けない状態で第１取付部１３ｂ，１３ｃ及び第２取付部１７の内周面の曲率半径がステッキ１１の外径より小さく形成されたことを特徴とする。
【００１１】
本発明の第３の観点は、第１又は第２の観点に基づく発明であって、更に図１及び図２に示すように、一対の第１取付部１３ｂ，１３ｃの間隔が単一の第２取付部１７の幅より僅かに広く形成されたことを特徴とする。
【００１２】
本発明の第４の観点は、第１の観点に基づく発明であって、図１及び図６に示すように、ステッキ掛け部材１３の掛止部１３ａの下面に滑り止めシート１３ｆが貼付されたことを特徴とする。
【００１３】
本発明の第５の観点は、第１ないし第４の観点のいずれかに基づく発明であって、更に図１及び図２に示すように、掛止部１３ａと第１取付部１３ｂ，１３ｃとがプラスチックにより一体的に形成され、第２取付部１７がプラスチックにより形成されたことを特徴とする。
【発明の効果】
【００１４】
本発明の第１の観点のステッキ用補助具では、ステッキ掛け部材の一対の第１取付部をステッキの長手方向に所定の間隔をあけて設け、ストラップの単一の第２取付部を一対の第１取付部の間に挿入するに構成したので、一対の第１取付部をステッキの上部に取付け、単一の第２取付部を一対の第１取付部の間に挿入するようにステッキの上部に取付けると、ステッキ掛け部材及びストラップを一体的な構造にすることができ、これにより、ステッキ掛け部材及びストラップをコンパクト化することができる。即ち、従来、単一の第１取付部と単一の第２取付部を１本のステッキにそれぞれ取付けた場合、第１及び第２取付部のそれぞれの幅を広くして合計幅も広くしなければ、第１及び第２取付部のステッキに対するガタつきを防止できないのに対し、本発明のように単一の第２取付部を一対の第１取付部の間に挿入するようにステッキに取付けると、第１及び第２取付部の合計幅を上記従来の合計幅より狭くしても、第１及び第２取付部がステッキに対してガタつくのを防止できる。この結果、ステッキ掛け部材及びストラップをコンパクト化することができる。従って、ステッキ掛け部材及びストラップのステッキへの取付スペースを小さく確保すれば済み、またステッキ掛け部材及びストラップの見栄えを向上できる。また、一対の第１取付部が上下に２分割されているため、下側の第１取付部の拡幅変形が上側の第１取付部に伝わらない。この結果、一対の第１取付部がステッキに強固に取付けられるので、一対の第１取付部がステッキから外れ難くなる。更に、単一の第２取付部が、ステッキに強固に取付けられている一対の第１取付部に挟まれているので、紐状のストラップ本体を手首に遊嵌した状態でグリップから手を離して、ステッキをぶら下げても、第２取付部がステッキの長手方向に移動し難くなる。この結果、第２取付部が意図せずにステッキの長手方向に移動するのを抑制できるので、ステッキの使い勝手が良好になる。
【００１５】
本発明の第２の観点のステッキ用補助具では、ステッキが円筒状又は円柱状であって、第１及び第２取付部を略Ｃ字状に形成し、第１及び第２取付部をステッキに取付けない状態で第１及び第２取付部の内周面の曲率半径をステッキの外径より小さく形成したので、ステッキ掛け部材及びストラップはステッキの軸心を中心に比較的容易に回転するけれども、略Ｃ字状の第１取付部及び略Ｃ字状の第２取付部はこれらの取付部が弾性変形することにより比較的強い力でステッキを把持している。この結果、第１及び第２取付部がステッキに対してガタつくのを確実に防止できる。また、一対の第１取付部がステッキから更に外れ難くなるとともに、第２取付部が意図せずにステッキの長手方向に移動するのを更に抑制できる。
【００１６】
本発明の第３の観点のステッキ用補助具では、ステッキ掛け部材の一対の第１取付部の間隔をストラップの単一の第２取付部の幅より僅かに広く形成したので、第１及び第２取付部がステッキに対してガタつくのを確実に防止できる。
【００１７】
本発明の第４の観点のステッキ用補助具では、ステッキ掛け部材の掛止部の下面に滑り止めシートを貼付したので、掛止部を被掛止部材に載せてステッキを被掛止部材に掛けたときに、掛止部の下面に貼付された滑り止めシートと被掛止部材との間の摩擦抵抗が大きくなる。この結果、ステッキが被掛止部材から意図せずに外れて落下するのを防止できる。
【００１８】
本発明の第５の観点のステッキ用補助具では、掛止部と第１取付部とをプラスチックにより一体的に形成し、第２取付部をプラスチックにより形成したので、ステッキ掛け部材及びストラップはステッキの軸心を中心に比較的容易に回転するけれども、ステッキ掛け部材の第１取付部及びストラップの第２取付部はこれらの取付部が樹脂弾性に基づく弾性変形により比較的強い力でステッキを把持する。この結果、第１及び第２取付部がステッキに対してガタつくのを確実に防止できる。また、一対の第１取付部がステッキから更に外れ難くなるとともに、第２取付部が意図せずにステッキの長手方向に移動するのを更に抑制できる。
【図面の簡単な説明】
【００１９】
【図１】本発明実施形態のステッキ用補助具のステッキ掛け部材によりステッキ机に掛けている状態を示すステッキの要部側面図である。
【図２】そのステッキ掛け部材及びストラップをステッキに取付ける手順を示すステッキの要部側面図である。
【図３】そのステッキ掛け部材及びストラップをステッキに取付ける手順を示すステッキの横断面図である。
【図４】図１のＡ−Ａ線断面図である。
【図５】図１のＢ−Ｂ線断面図である。
【図６】ステッキ掛け部材の斜視図である。
【図７】折り畳んだステッキにステッキ掛け部材及びストラップを取付けた状態を示すステッキの側面図である。
【発明を実施するための形態】
【００２０】
次に、本発明を実施するための形態を図面に基づいて説明する。図１に示すように、ステッキ用補助具１０は、ステッキ１１を被掛止部材であるテーブル１２の上面に掛けるためのステッキ掛け部材１３と、ステッキ１１の手提げ紐であるストラップ１４とを備える。そして、ステッキ掛け部材１３及びストラップ１４は、ステッキ１１のうち後述するステッキ本体１８の第１パイプ１８ａに取外し可能に取付けられる（図２及び図３）。ステッキ１１は、この実施の形態では、折畳み式かつ伸縮式のステッキである（図１及び図７）。また、ステッキ掛け部材１３は、下面が扁平に形成されこの下面がテーブル１２に載る掛止部１３ａと、掛止部１３ａと一体的に設けられステッキ１１の上部に取外し可能に取付けられる弾性変形可能な一対の第１取付部１３ｂ，１３ｃとを有する（図１〜図６）。上記掛止部１３ａは平板状に形成される。掛止部１３ａの基端は一対の第１取付部１３ｂ，１３ｃのうち下側の第１取付部１３ｂに接続され（図１、図２及び図６）、掛止部１３ａの先端は凸状に湾曲して形成される（図３〜図６）。また、一対の第１取付部１３ｂ，１３ｃは、幅の比較的小さい円筒体の一部を切欠いた形状、即ち略Ｃ字状にそれぞれ形成される（図３、図５及び図６）。そして、一対の第１取付部１３ｂ，１３ｃは、ステッキ１１の長手方向に延びる連結片１３ｄにより、略Ｃ字状の切欠かれた部分とは反対側の部分が連結される（図６）。これにより一対の第１取付部１３ｂ，１３ｃはステッキ１１の長手方向に所定の間隔をあけて設けられる。また、一対の第１取付部１３ｂ，１３ｃの内周面の曲率半径は、第１取付部１３ｂをステッキ１１に取付けない状態で、ステッキ１１のうちステッキ本体１８の第１パイプ１８ａの外径より小さく形成される。更に、図１〜図７中の符号１３ｅは、掛止部１３ａの上面から連結片１３ｄの背面にわたって設けられたリブである。このリブ１３ｅは掛止部１３ａ及び一対の第１取付部１３ｂ，１３ｃを補強するために設けられる。上記掛止部１３ａ、第１取付部１３ｂ，１３ｃ、連結片１３ｄ及びリブ１３ｅは、ナイロン、ＡＢＳ（アクリルニトリル・ブタジエン・スチレン）、ＰＰ（ポリプロピレン）等のプラスチックを用いて一体成型されることにより一体的に形成される。
【００２１】
なお、図１、図２、図６及び図７中の符号１３ｆは、ステッキ掛け部材１３の掛止部１３ａの下面に貼付された滑り止めシートである。この滑り止めシート１３ｆは、比較的軟らかくかつ弾力性のあるポリウレタン樹脂、エラストマー樹脂、天然ゴム、合成ゴム等により形成される。そして、滑り止めシート１３ｆの下面には、図６に詳しく示すように、格子状の凹条１３ｇが形成される。これにより、滑り止めシート１３ｆが接触するテーブル１２の上面が平坦でなくても、滑り止めシート１３ｆの格子状の凹条１３ｇ間の複数の凸部１３ｈがテーブル１２の上面の形状に沿って弾性変形し滑り止め機能を発揮する接触面積を確保できる。また、滑り止めシート１３ｆが接触するテーブル１２の上面が水で濡れていても、水分が凹条１３ｇ内に逃げて複数の凸部１３ｈがテーブル１２の上面に密着することにより、滑り止めシート１３ｆが滑り止め機能を発揮できるようになっている。
【００２２】
一方、ストラップ１４は、紐状のストラップ本体１６と、このストラップ本体１６を保持しステッキ１１の上部に取外し可能に取付けられる弾性変形可能な単一の第２取付部１７とを有する（図１〜図５）。ストラップ本体１６は、可撓性を有する帯状紐の両端をエンドパーツ１６ｂで結合して形成された大径のリング紐１６ａと、可撓性を有する細紐の両端を上記エンドパーツ１６ｂで結合して形成された小径のリング紐１６ｃとからなる（図１〜図５及び図７）。大径のリング紐１６ａはステッキ１１の使用者の手首に遊嵌され、小径のリング紐１６ｃは第２取付部１７の透孔１７ｂに挿通して係止される。また、第２取付部１７は、幅の比較的小さい円筒体の一部を切欠いた形状、即ち略Ｃ字状に形成される（図３及び図４）。そして、第２取付部１７の内周面の曲率半径は、第２取付部１７をステッキ１１に取付けない状態で、ステッキ１１のうちステッキ本体１８の第１パイプ１８ａの外径より小さく形成される。また、単一の第２取付部１７は、一対の第１取付部１３ｂ，１３ｃの間に挿入可能に構成される（図１、図２及び図７）。即ち、一対の第１取付部１３ｂ，１３ｃの間隔は単一の第２取付部１７の幅より僅かに広く形成される。具体的には、一対の第１取付部１３ｂ，１３ｃの間隔は、単一の第２取付部１７の幅より０．０５ｍｍ〜０．２ｍｍ広く形成されることが好ましく、０．１ｍｍ広く形成されることが更に好ましい。また、単一の第２取付部１７を一対の第１取付部１３ｂ，１３ｃの間に挿入したときに、第２取付部１７の両端は、一対の第１取付部１３ｂ，１３ｃを連結する連結片１３ｄの両側縁にそれぞれ接近又は当接するように構成される（図４）。更に、第２取付部１７のうち略Ｃ字状の切欠かれた部分とは反対側の部分に突片１７ａが突設され、この突片１７ａの中央に、小径のリング紐１６ｃが挿通されて係止する上記透孔１７ｂが形成される（図３〜図５）。上記第２取付部１７及び突片１７ａは、ナイロン、ＡＢＳ（アクリルニトリル・ブタジエン・スチレン）、ＰＰ（ポリプロピレン）等のプラスチックにより一体成型されることにより一体的に形成される。
【００２３】
一方、ステッキ１１は、円筒状のステッキ本体１８と、このステッキ本体１８の一端に取付けられ使用者が把持するグリップ１９とを備える（図１及び図７）。ステッキ本体１８は、この実施の形態では、アルミニウム合金、マグネシウム合金、ステンレス鋼、或いはカーボン繊維及びエポキシ樹脂の複合材等で形成された５本のパイプ１８ａ〜１８ｅにより構成される（図７）。これらのパイプ１８ａ〜１８ｅは、一端にグリップ１９が取付けられた第１パイプ１８ａと、第１パイプ１８ａの他端に引出し可能に収納された第２パイプ１８ｂと、第２パイプ１８ｂの他端に一端が離脱可能に接続された第３パイプ１８ｃと、第３パイプ１８ｃの他端に一端が離脱可能に接続された第４パイプ１８ｄと、第４パイプ１８ｄの他端に一端が離脱可能に接続された第５パイプ１８ｅとからなる。また、第３パイプ１８ｃ及び第４パイプ１８ｄにはゴム紐１８ｆが挿通され、ゴム紐１８ｆの一端は第２パイプ１８ｂの他端内部に固定され、ゴム紐１８ｆの他端は第５パイプ１８ｅの一端内部に固定される。更に、ゴム紐１８ｆの自然長は、第２パイプ１８ｂに第３〜第５パイプ１８ｃ〜１８ｅを直列に接続した状態で、第２パイプ１８ｂの他端から第５パイプ１８ｅの一端までの距離より短く設定される。即ち、ゴム紐１８ｆは、第２パイプ１８ｂに第３〜第５パイプ１８ｃ〜１８ｅを直列に接続した状態で、第２パイプ１８ｂと第５パイプ１８ｅを互いに近付ける方向に付勢することにより、第２〜第４パイプ１８ｂ〜１８ｅが直列に接続された状態を保持できるようになっている。
【００２４】
第２〜第４パイプ１８ｂ〜１８ｅの他端部は他端に向うに従って太くなる末広がりのテーパ筒状に形成され、第３〜第５パイプ１８ｃ〜１８ｅの一端部は一端に向うに従って細くなる先細りのテーパ筒状に形成される（図７）。これにより、第２パイプ１８ｂの他端に第３パイプ１８ｃの一端を挿入することにより、第２パイプ１８ｂに第３パイプ１８ｃが接続される。また、第３パイプ１８ｃの他端に第４パイプ１８ｄの一端を挿入することにより、第３パイプ１８ｃに第４パイプ１８ｄが接続される。更に、第４パイプ１８ｄの他端に第５パイプ１８ｅの一端を挿入することにより、第４パイプ１８ｄに第５パイプ１８ｅが接続される。
【００２５】
一方、第１パイプ１８ａには、この第１パイプ１８ａの長手方向に所定の間隔をあけて複数の通孔（図示せず）が形成され、第２パイプ１８ｂの一端近傍には、第１パイプ１８ａの複数の通孔に選択的に係止可能な単一のピン１８ｇが内蔵される（図１及び図７）。このピン１８ｇの先端部は第２パイプ１８ｂに収納されたＵ字状ばね（図示せず）の弾性力により第２パイプ１８ｂから突出可能に構成される。ピン１８ｇの先端部が、Ｕ字状ばねの弾性力により第２パイプ１８ｂから突出して、第１パイプ１８ａの複数の通孔に選択的に係止することにより、第１及び第２パイプ１８ａ，１８ｂの全長を段階的に変更できるようになっている。なお、図７中の符号２１は、第５パイプ１８ｅの他端に取付けられたゴム製の石突きである。また、図７中の符号２２は、第２パイプ１８ｂを第１パイプ１８ａに収納しかつ第２〜第５パイプ１８ｂ〜１８ｅの接続を解除して折り畳んだ状態で束ねるためにプラスチックにより扁平筒状に形成された結束筒体である。更に、図７中の符号２３は、プラスチック製の筒体の一部を切欠いて形成され第１パイプ１８ａの他端近傍と第３パイプ１８ｃの一端近傍の接触による損傷を防止するために第１パイプ１８ａの他端近傍に嵌入された保護部材である。
【００２６】
このように構成されたステッキ用補助具１０の使用方法を説明する。先ず、ステッキ１１にステッキ掛け部材１３及びストラップ１４が取付けられていない状態で（図２（ａ）及び図３（ａ））、ステッキ掛け部材１３の一対の第１取付部１３ｂ，１３ｃをステッキ１１の第１パイプ１８ａの上部に取付けた後に（図２（ｂ）及び図３（ｂ））、単一の第２取付部１７を一対の第１取付部１３ｂ，１３ｃの間に挿入するように第１パイプ１８ａの上部に取付ける（図２（ｃ）及び図３（ｃ））。これにより、ステッキ掛け部材１３及びストラップ１４を一体的な構造にすることができるので、ステッキ掛け部材１３及びストラップ１４をコンパクト化することができる。即ち、従来、単一の第１取付部と単一の第２取付部を１本のステッキにそれぞれ取付けた場合、第１及び第２取付部のそれぞれの幅を広くし合計幅も広くしなければ、第１及び第２取付部のステッキに対するガタつきを防止できない。これに対し、本発明のように単一の第２取付部１７を一対の第１取付部１３ｂ，１３ｃの間に挿入するようにステッキ１１に取付けると、一対の第１取付部１３ｂ，１３ｃ及び単一の第２取付部１７の合計幅を上記従来の合計幅より狭くしても、第１取付部１３ｂ，１３ｃ及び第２取付部１７がステッキ１１に対してガタつくのを防止できる。これは、第１取付部１３ｂ，１３ｃ及び第２取付部１７をプラスチックにより略Ｃ字状に形成し、第１取付部１３ｂ，１３ｃ及び第２取付部１７をステッキ１１に取付けない状態で第１取付部１３ｂ，１３ｃ及び第２取付部１７の曲率半径をステッキ１１の外径より小さく形成したので、ステッキ掛け部材１３及びストラップ１４はステッキ１１の軸心を中心に比較的容易に回転するけれども、略Ｃ字状の第１取付部１３ｂ，１３ｃ及び略Ｃ字状の第２取付部１７はこれらの取付部１３ｂ，１３ｃ，１７の樹脂弾性に基づく弾性変形により比較的強い力でステッキ１１を把持しているためである。この結果、ステッキ掛け部材１３及びストラップ１４をコンパクト化することができる。従って、ステッキ掛け部材１３及びストラップ１４のステッキ１１への取付スペースを小さく確保すれば済み、またステッキ掛け部材１３及びストラップ１４の見栄えを向上できる。更に、この実施の形態では、一対の第１取付部１３ｂ，１３ｃの間隔を単一の第２取付部１７の幅より僅かに広く形成したので、第１取付部１３ｂ，１３ｃ及び第２取付部１７がステッキ１１に対してガタつくのを確実に防止できる。
【００２７】
一方、一対の第１取付部１３ｂ，１３ｃが上下に２分割されているため、下側の第１取付部１３ｂの拡幅変形が上側の第１取付部１３ｃに伝わらない。この結果、一対の第１取付部１３ｂ，１３ｃがステッキ１１に強固に取付けられるので、一対の第１取付部１３ｂ，１３ｃがステッキ１１から外れ難くなる。また、単一の第２取付部１７が、ステッキ１１に強固に取付けられている一対の第１取付部１３ｂ，１３ｃに挟まれているので、ストラップ本体１６の大径のリング紐１６ａを手首に遊嵌した状態でグリップ１９から手を離して、ステッキ１１をぶら下げても、第２取付部１７がステッキ１１の長手方向に移動し難くなる。この結果、第２取付部１７がステッキ１１の長手方向に移動するのを抑制できるので、ステッキ１１の使い勝手が良好になる。また、ステッキ１１をテーブル１２に掛けるときには（図１）、ステッキ掛け部材１３の掛止部１３ａの底面をテーブル１２の上に載せる。このとき、ステッキ掛け部材１３の掛止部１３ａの下面に滑り止めシート１３ｆが貼付されており、滑り止めシート１３ｆがテーブル１２の上面に接触するので、滑り止めシート１３ｆとテーブル１２との間の摩擦抵抗が大きくなる。この結果、ステッキ１１がテーブル１２から意図せずに外れて落下することがない。更に、ステッキ１１を使用せずにバッグ等に入れて持ち運ぶときには、第２パイプ１８ｂを第１パイプ１８ａに収納し、第１パイプ１８ａの先端近傍に保護部材２３を嵌入した後に、第３〜第５パイプ１８ｃ〜１８ｅを折り畳み、更にこれらのパイプ１８ａ〜１８ｅに結束筒体２２を嵌入する（図７）。これにより、ステッキ１１をコンパクトに折り畳んだ状態に保持することができるとともに、保護部材２３により第１パイプ１８ａと第３パイプ１８ｃとの接触が阻止されて、これらのパイプ１８ａ，１８ｃの損傷を防止できる。
【００２８】
なお、上記実施の形態では、上記実施の形態では、掛止部と第１取付部とをプラスチックにより一体的に形成し、第２取付部をプラスチックにより形成したが、掛止部と第１取付部とを鋼板等の金属板のプレス加工により一体的に形成し、第２取付部を鋼板等の金属板のプレス加工により形成してもよい。また、上記実施の形態では、ステッキをテーブルに掛けたが、ステッキをカウンタ、下駄箱、窓枠等の被掛止部材に掛けてもよい。また、上記実施の形態では、折畳み式かつ伸縮式のステッキを挙げたが、折畳み式ステッキ、伸縮式ステッキ、又は折畳み不能かつ伸縮不能の１本のステッキであってもよい。また、上記実施の形態では、円筒状のステッキ本体を挙げたが、楕円筒状のステッキ本体や、コーナ部に大きな丸みを有する四角筒状のステッキ本体等でもよい。これらの場合、ステッキ掛け部材の一対の第１取付部及びストラップの単一の第２取付部はステッキ本体の外周面に沿う略Ｃ字状、略Ｃ型チャンネル状等に形成される。また、上記実施の形態では、円筒状のステッキ本体を挙げたが、折畳み不能かつ伸縮不能の１本のステッキ本体であれば、円柱状、楕円柱状、コーナ部に大きな丸みを有する四角柱状のステッキ本体であってもよい。更に、上記実施の形態では、ステッキ本体を５本のパイプにより構成したが、ステッキ本体を１本、２本、３本、４本又は６本以上のパイプにより構成してもよい。
【符号の説明】
【００２９】
１０  ステッキ用補助具
１１  ステッキ
１２  テーブル（被掛止部材）
１３  ステッキ掛け部材
１３ａ  掛止部
１３ｂ，１３ｃ  第１取付部
１３ｆ  滑り止めシート
１４  ストラップ
１６  ストラップ本体
１７  第２取付部
【図１】
2020115933.tif 000003
【図２】
2020115933.tif 000004
【図３】
2020115933.tif 000005
【図４】
2020115933.tif 000006
【図５】
2020115933.tif 000007
【図６】
2020115933.tif 000008
【図７】
2020115933.tif 000009